(57)【要約】【課題】  ベントキャップに対する風圧の影響を回避して，換気扇のファン圧によってスムーズに排気を排出できるようにする。【解決手段】  断面積一定の環状基部１と，これに設置した該環状基部１より径大にして正面開口，背面ネット面の径大環状部材３と，その正面側の開口を垂直なフラット面で閉塞するように径大環状部材３に被嵌した閉塞部材４とを備えてベントキャップＡを形成する。これによって径大環状部材３の内側に形成される負圧の排気空間は断面積一定の円形空間をなし，上記環状基部１が同じく断面積一定の円形をなすようにして，該排気空間内の流入外気に対する抵抗をなくすことによって，流入外気の乱流化を防止する。流入外気が層流のまま排出されるから，その吸引圧と相俟って排気の排出もスムーズになされる。【選択図】  図４
2008095998.tif 000002
【特許請求の範囲】
【請求項１】
ダクトに嵌合配置する断面積一定の環状基部と，該環状基部の長手方向中間位置にその外周方向に向けて張出配置した位置決めフィンと，上記位置決めフィンより正面側に配置して上記環状基部より径大にして正面及び背面を開口し又は背面を環状基部の挿通孔配置のネット面とした環状基部先端受入用の径大環状部材と，該径大環状部材を正面側から被嵌してその正面側の開口を垂直なフラット面で閉塞した閉塞部材とを備えることによって，上記径大環状部材の内側に形成した負圧の排気空間の流入外気を層流のまま排出自在としてなることを特徴とするベントキャップ。
【請求項２】
上記径大環状部材の配置を，上記環状基部の正面側端部と該径大環状部材の背面側端部間に介設した連結部材によって連結固定して行ってなることを特徴とする請求項１に記載のベントキャップ。
【請求項３】
上記連結部材を，可及的に細径とするとともに上記環状基部と径大環状部材間に水平２本又はこれに垂直１本又は２本の合計３本又は４本とすることによって上記負圧の排気空間の流入外気に対する抵抗を可及的に抑制してなることを特徴とする請求項２に記載のベントキャップ。
【請求項４】
上記径大環状部材の配置を，上記連結部材の連結固定とともに又はこれに代えて，該径大環状部材の背面を環状基部の挿通孔配置のネット面とし，該挿通孔に挿通した環状基部を上記径大環状部材と金具固定して行ってなることを特徴とする請求項２に記載のベントキャップ。
【請求項５】
上記径大環状部材を被嵌した閉塞部材を，上記径大環状部材の外径と同径又はこれより径大にして該径大環状部材を受入れて該閉塞部材側からのネジによって固定した正面円形の閉塞部材としてなることを特徴とする請求項１，２，３又は４に記載のベントキャップ。
【請求項６】
上記閉塞部材を，その対向片間の間隔を上記径大環状部材の外径と同一幅又はこれより広幅にして該径大環状部材を受入れて該閉塞部材側からのネジによって固定した正面方形又は矩形の閉塞部材としてなることを特徴とする請求項１，２，３又は４に記載のベントキャップ。
【請求項７】
上記径大環状部材と閉塞部材とを溶着等の一体化手段によって一体化した正面閉塞にして背面を開口又は環状基部の挿通孔配置のネット面とした正面閉塞の径大環状部材を用いてなることを特徴とする請求項１，２，３又は４に記載のベントキャップ。
【請求項８】
上記径大環状部材と閉塞部材に代えて，プレス成形によって一体成形した正面閉塞にして背面を開口又は環状基部の挿通孔配置のネット面とした正面閉塞の径大環状部材を用いてなることを特徴とする請求項１，２，３又は４に記載のベントキャップ。
【発明の詳細な説明】
【技術分野】
【０００１】
本発明は，屋内設置の排気ファンによって換気を行うに際して使用する屋外設置のベントキャップに関する。
【背景技術】
【０００２】
この種ベントキャップとして，本発明者は，ダクトに嵌合固定し，先端を正面側に拡開した先端拡開顎部を有するとともに該拡開顎部の正面をネット面とする断面変化の環状基部と，該環状基部先端部の拡開顎部と背面内側３ヶ所とを連結金具によって連結固定することによって上記拡開顎部と重合状又は面一に該環状基部に固定した皿状の遮蔽カバーとを備えたものを提案済みであり，この場合，該ベントキャップの上記皿状の遮蔽カバーの内側空間を風圧に対する負圧の排気空間として風圧の影響を可及的に回避して，環状基部からの排気がスムーズに排出されるようにするとともに排気がダクトに逆流したり，雨水が該ダクトに浸入したりするのを防止するようにしたものとされる。
【０００３】
【特許文献１】特開平１１−２３７０９０号公報
【発明の開示】
【発明が解決しようとする課題】
【０００４】
この場合，上記風圧の影響を回避することによって，例えばマンションのキッチン，店舗の厨房に設置した換気扇のファンによって環状基部からの排気を排出することが可能となるが，一方で強風時のように風圧が強い場合に，必ずしも該風圧の影響を回避することができず，排気のスムーズな排出が妨げられることがあり，従って平常時，強風時を問わずに風圧の影響を更に確実に回避する必要がある。
【０００５】
本発明はかかる事情に鑑みてなされたもので，その解決課題とするところは，強風時にも風圧の影響を確実に回避して，換気扇のファン圧によってスムーズ且つ確実に排気を排出できるとともに排気の逆流や雨水の浸入の可能性を解消し得るようにしたベントキャップを提供するにある。
【課題を解決するための手段】
【０００６】
そこで上記ベントキャップにおいて，特に強風時に排気の排出が妨げられる原因を追究した結果，これに用いた環状基部が，その先端に拡開顎部を有することによって，強風時に背面のネット面から負圧の排気空間に外気が流入すると，該拡開顎部及び上記遮蔽カバーの皿状形態が該流入した外気の抵抗をなすことによって該外気を乱流化する結果，流入した外気が排気空間からスムーズに排出されず，排気空間内に廻り込み状に滞留するため，換気扇のファン圧がこれに負けて，環状基部からの排気の排出が妨げられるに至ることにその原因があるものとの知見を得た。
【０００７】
従って負圧の排気空間にその一方の片側から流入した外気を他方の片側から外気流入時の層流のまま排出し得るように，排気空間内の外気を乱流化する抵抗の要因を解消するようにベントキャップを構成すれば，流入した外気が，排気空間の負圧化を促進して環状基部からの排気を吸引しその排出に寄与して，環状基部からのスムーズな排気を可能とするとともに該排気の逆流や雨水の浸入の可能性を解消するものとなし得て，理想的なベントキャップとすることが可能になる。
【０００８】
本発明はかかる知見に基づいて，径大環状部材と閉塞部材とを用い，該径大環状部材の正面を垂直なフラット面で閉塞し，該径大環状部材の内側に形成される上記負圧の排気空間の先端をフラット面とする断面積一定の円形空間とするとともにこれに排気を排出する上記環状基部を同じく断面積一定の円形とすることによって，上記負圧の排気空間内における流入外気の抵抗を解消し，該負圧の排気空間における外気乱流化の要因を解消したものとして，該径大環状部材の背面の一方から負圧の排気空間に流入した層流をなす外気を，これを乱流化することなく，径大環状部材の背面の他方から該層流のまま外部に排出するようにして，該層流の排気吸引力と相俟って環状基部から換気扇のファン圧によって送られる排気をスムーズ且つ確実に排出できるとともに排気の逆流や雨水の浸入の可能性を解消するようにし，また上記環状基部の断面積を一定としたことによりダクトへの設置を環状基部に張出配置した位置決めフィンを建物壁面に対接してその位置決めをなし得るようにしたものであって，即ち請求項１に記載の発明を，ダクトに嵌合配置する断面積一定の環状基部と，該環状基部の長手方向中間位置にその外周方向に向けて張出配置した位置決めフィンと，上記位置決めフィンより正面側に配置して上記環状基部より径大にして正面及び背面を開口し又は背面を環状基部の挿通孔配置のネット面とした環状基部先端受入用の径大環状部材と，該径大環状部材を正面側から被嵌してその正面側の開口を垂直なフラット面で閉塞した閉塞部材とを備えることによって，上記径大環状部材の内側に形成した負圧の排気空間の流入外気を層流のまま排出自在としてなることを特徴とするベントキャップとしたものである。
【０００９】
請求項２に記載の発明は，上記に加えて，共に環状にして相互に異径とした上記径大環状部材の環状基部に対する配置を，これらの端部間に介設した連結部材を用いた固定によって行って，可及的簡易且つ確実にして長期に亘る安定したものとするように，これを，上記径大環状部材の配置を，上記環状基部の正面側端部と該径大環状部材の背面側端部間に介設した連結部材によって連結固定して行ってなることを特徴とする請求項１に記載のベントキャップとしたものである。
【００１０】
請求項３に記載の発明は，同じく上記に加えて，上記連結部材を用いた固定によって，該連結部材を可及的に細径にして且つ水平及び垂直に配置することによって，上記負圧の排気空間に流入した外気の抵抗をなすのを可及的に防止し，該連結部材が乱流化の要因となるのを回避するように，これを，上記連結部材を，可及的に細径とするとともに上記環状基部と径大環状部材間に水平２本又はこれに垂直１本又は２本の合計３本又は４本とすることによって上記負圧の排気空間の流入外気に対する抵抗を可及的に抑制してなることを特徴とする請求項２に記載のベントキャップとしたものである。
【００１１】
請求項４に記載の発明は，同じく上記に加えて，上記連結金具による連結固定とともに又はこれに代えて，径大環状部材に層通孔配置のネット面を配置して，該ネット面の挿通孔に環状基部を挿通し，該挿通部位でこれら相互の固定を行って，可及的簡易且つ確実にして長期に亘る安定したものとするように，これを，上記径大環状部材の配置を，上記連結部材の連結固定とともに又はこれに代えて，該径大環状部材の背面を環状基部の挿通孔配置のネット面とし，該挿通孔に挿通した環状基部を上記径大環状部材と金具固定して行ってなることを特徴とする請求項２に記載のベントキャップとしたものである。
【００１２】
請求項５及び６に記載の発明は，同じく上記に加えて，上記径大環状部材は，閉塞部材によってその正面側の開口が閉塞される限り，該径大環状部材と閉塞部材との間に空隙が生じて，これに外気が流入しても負圧の排気空間に対する影響はなく，従って閉塞部材はその大きさ及び正面形状を任意のものとすることができることから，請求項５に記載の発明は，該閉塞部材の正面形状を径大環状部材と同径又は径大の円形として外観を向上したものとするように，これを，上記径大環状部材を被嵌した閉塞部材を，上記径大環状部材の外径と同径又はこれより径大にして該径大環状部材を受入れて該閉塞部材側からのネジによって固定した正面円形の閉塞部材としてなることを特徴とする請求項１，２，３又は４に記載のベントキャップとし，請求項６に記載の発明は，上記閉塞部材の正面形状を径大環状部材の外径と同一幅又はこれより広幅の方形又は矩形として外観を向上したものとするように，これを，上記閉塞部材を，その対向片間の間隔を上記径大環状部材の外径と同一幅又はこれより広幅にして該径大環状部材を受入れて該閉塞部材側からのネジによって固定した正面方形又は矩形の閉塞部材としてなることを特徴とする請求項１，２，３又は４に記載のベントキャップとしたものである。
【００１３】
請求項７に記載の発明は，同じく上記に加えて，上記径大環状部材と閉塞部材の２部材による負圧の排気空間に代えて，閉塞部材を溶着等によって一体化することによって正面閉塞の径大環状部材を用いて，部材数を減少してベントキャップの組立を容易化するとともにネジ止めによるネジ露出のない単一外観の正面円形，正面方形又は正面矩形の形状のものとするように，これを，上記径大環状部材と閉塞部材とを溶着等の一体化手段によって一体化した正面閉塞にして背面を開口又は環状基部の挿通孔配置のネット面とした正面閉塞の径大環状部材を用いてなることを特徴とする請求項１，２，３又は４に記載のベントキャップとしたものである。
【００１４】
請求項８に記載の発明は，同じく上記に加えて，上記径大環状部材と閉塞部材の２部材による負圧の排気空間に代えて，プレス成型によって一体成形することによって同様な正面閉塞の径大管状部材を用いて，同様に部材数を減少してベントキャップの組立を容易化するとともにネジ止めによるネジ露出のない単一外観の正面円形の形状のものとするように，これを，上記径大環状部材と閉塞部材に代えて，プレス成形によって一体成形した正面閉塞にして背面を開口又は環状基部の挿通孔配置のネット面とした正面閉塞の径大環状部材を用いてなることを特徴とする請求項１，２，３又は４に記載のベントキャップとしたものである。
【００１５】
本発明は，これらをそれぞれ発明の要旨として上記課題解決の手段としたものである。
【発明の効果】
【００１６】
本発明は以上のとおりに構成したから，請求項１に記載の発明は，径大環状部材と閉塞部材とを用い，該径大環状部材の正面を垂直なフラット面で閉塞し，該径大環状部材の内側に形成される上記負圧の排気空間の先端をフラット面とする断面積一定の円形空間とするとともにこれに排気を排出する上記環状基部を同じく断面積一定の円形とすることによって，上記負圧の排気空間内における流入外気の抵抗を解消し，該負圧の排気空間における外気乱流化の要因を解消したものとして，該径大環状部材の背面の一方から負圧の排気空間に流入した層流をなす外気を，これを乱流化することなく，径大環状部材の背面の他方から該層流のまま外部に排出するようにして，該層流の排気吸引力と相俟って環状基部から換気扇のファン圧によって送られる排気をスムーズ且つ確実に排出できるとともに排気の逆流や雨水の浸入の可能性を解消するようにし，また上記環状基部の断面積を一定としたことによりダクトへの設置を環状基部に張出配置した位置決めフィンを建物壁面に対接してその位置決めをなし得るようにして，強風時にも風圧の影響を確実に回避して，換気扇のファン圧によってスムーズ且つ確実に排気を排出できるとともに排気の逆流や雨水の浸入の可能性を解消し得るようにしたベントキャップを提供することができる。
【００１７】
請求項２に記載の発明は，上記に加えて，共に環状にして相互に異径とした上記径大環状部材の環状基部に対する配置を，これらの端部間に介設した連結部材を用いた固定によって行って，可及的簡易且つ確実にして長期に亘る安定したものとすることができる。
【００１８】
請求項３に記載の発明は，同じく上記に加えて，上記連結部材を用いた固定によって，該連結部材を可及的に細径にして且つ水平及び垂直に配置することによって，上記負圧の排気空間に流入した外気の抵抗をなすのを可及的に防止し，該連結部材が乱流化の要因となるのを回避するものとすることができる。
【００１９】
請求項４に記載の発明は，同じく上記に加えて，上記連結金具による連結固定とともに又はこれに代えて，径大環状部材に挿通孔配置のネット面を配置して，該ネット面の挿通孔に環状基部を挿通し，該挿通部位でこれら相互の固定を行って，可及的簡易且つ確実にして長期に亘る安定したものとすることができる。
【００２０】
請求項５に記載の発明は，同じく上記に加えて，負圧の排気空間に対して影響を与えることなく，閉塞部材の正面形状を径大環状部材と同径又は径大の円形として外観を向上したものとすることができ，また請求項６に記載の発明は，同様に負圧の排気空間に対して影響を与えることなく，閉塞部材の正面形状を径大環状部材の外径と同一幅又はこれより広幅の方形又は矩形として外観を向上したものとすることができる。
【００２１】
請求項７に記載の発明は，同じく上記に加えて，上記径大環状部材と閉塞部材の２部材による負圧の排気空間に代えて，閉塞部材を溶着等によって一体化することによって正面閉塞の径大環状部材を用いて，部材数を減少してベントキャップの組立を容易化するとともにネジ止めによるネジ露出のない単一外観の正面円形，正面方形又は正面矩形の形状のものとすることができる。
【００２２】
請求項８に記載の発明は，同じく上記に加えて，上記径大環状部材と閉塞部材の２部材による負圧の排気空間に代えて，プレス成型によって一体成形することによって同様な正面閉塞の径大管状部材を用いて，同様に部材数を減少してベントキャップの組立を容易化するとともにネジ止めによるネジ露出のない単一外観の正面円形の形状のものとすることができる。
【発明を実施するための最良の形態】
【００２３】
以下図面の例に従って本発明を更に具体的に説明すれば，図１乃至図４の正面図，側面図及び分解斜視図，設置状態縦断面図において，Ａはベントキャップであり，該ベントキャップＡは，環状基部１と，位置決めフィン２と，径大環状部材３と，閉塞部材４とを備えることによって，上記径大環状部材３の内側に形成した負圧の排気空間の流入外気を層流のまま排出自在とした，本例にあってこれらをステンレス，アルミ等の金属部材によって形成した金属製のものとしてある。
【００２４】
上記環状基部１は，ダクトＣ，即ちキッチン，厨房等の換気扇からベントキャップ設置の建物壁面Ｂ，即ちコンクリート躯体の壁面に配管した排気用のダクトＣに嵌合配置する断面積一定のものとしてあり，本例にあって該環状基部１は該ダクトより僅かに径小にして上記嵌合を可能とした上記断面積一定の円筒形にしてその外周の複数箇所，例えば外周方向の１／４円毎の位置でそれぞれダクトの内壁に弾発片を弾発的に係合することによって上記ダクトに嵌合した環状基部１の抜止めを行う抜止め金具１１を，例えば溶着によって固定して配置し，また正面側先端を外側に小径に曲成し，換気扇のファンによる排気の排出をスムーズにするようにしてある。本例にあって該環状基部１は，ダクトＣの内径が１５ｃｍの場合，その長さを１０ｃｍ程度，外径を１５ｃｍ弱としてある。
【００２５】
位置決めフィン２は，該環状基部１の長手方向中間位置にその外周方向に向けて張出配置した，ベントキャップＡ設置の位置決め部材をなすものとしてあり，本例にあって該位置決めフィン２は，上記ダクトＣに嵌合固定することによって上記環状基部１の確実な支持を行うに必要な長さを背面側，即ち室内側に配置するように該環状基部１の長さを２分割する中間位置に，その外周方向に環状基部１と同心円をなした幅広にして該環状基部１の全周に亘るように張出突出したものとしてあり，本例にあっては環状基部１と同心円をなす円盤の中央位置に該環状基部１の外径に等しい透孔を設けたリング状にして，同じくダクトＣの内径が１５ｃｍの場合，外径を２０ｃｍ程度として位置決めフィンの幅を２〜３ｃｍ程度に寸法設定した金属パネルを用い，上記透孔に環状基部１を挿通して外周と環状基部１とを溶着固定して，該環状基部１の所定位置，本例にあって正面先端から１０ｃｍ程度の上記中間位置に配置したものとしてある。
【００２６】
このとき位置決めフィン２は，その背面を上記建物壁面Ｂに対接するように上記環状基部１をダクトＣに嵌合することによって該環状基部１の嵌合固定，即ちベントキャップＡ設置のための位置決めを行うものとしてあり，該位置決めフィン２は，その建物壁面Ｂへの対接後，必要に応じて，例えば位置決めフィン２を覆うコーキング材によって該位置決めフィン２と建物壁面Ｂとの間を封止してその防水措置を施すものとしてある。
【００２７】
径大環状部材３は，上記位置決めフィン２より正面側に配置して上記環状基部１より径大にして正面及び背面を開口し又は背面を環状基部１の挿通孔配置のネット面とした環状基部先端受入用のものとしてあり，本例にあって該径大環状部材３は，上記環状基部１より径大にして正面を開口した環状部３１と，該環状部３１の背面に配置し，その中央に環状基部１と同径の透孔を透設した，例えば防鳥用にメタルラスを用いて空気の流通をなし得るようにしたネット面３２とを備えたものとしてあり，該環状部３１は，その径を，同じくダクトＣの内径が１５ｃｍの場合，上記環状基部１の１．５〜２倍程度の，例えば２５ｃｍ程度とし，またその奥行幅を５〜６ｃｍ程度に寸法設定したものとしてある。
【００２８】
本例にあって，上記径大環状部材３の配置は，これを，その上記ネット面の挿通孔に環状基部１の先端を挿通受入した状態として，上記環状基部１の正面側端部と該径大環状部材３の背面側端部間に介設した連結部材５によって連結固定して行ったものとし，本例にあって該連結部材５は，上記環状基部１の先端部，特に上記曲成した先端部分を外した位置と径大環状部材３の背面側端部間に，連結部材５，例えば金属製細径パイプ状の連結スタッドを配置し，該連結スタッド両端のタップ切りして設置した雌ネジに対して環状基部１及び径大環状部材３側からそれぞれネジを螺入し，該連結部材５をブリッジとして該径大環状部材３の環状基部１に対する連結固定を行ってある。このとき本例の連結部材５は，これを，可及的に細径とするとともに上記環状基部１と径大環状部材３間に水平２本又はこれに垂直１本又は２本の合計３本又は４本，本例にあっては水平及び垂直各２本の合計４本とすることによって，後述のように上記負圧の排気空間の流入外気に対する抵抗を可及的に抑制したものとしてある。
【００２９】
閉塞部材４は，上記径大環状部材３を正面側から被嵌してその正面側の開口を垂直なフラット面で閉塞したものとしてあり，本例にあって該径大環状部材３を被嵌した閉塞部材４は，これを，上記径大環状部材３の外径と同径又はこれより径大にして該径大環状部材３を受入れて該閉塞部材３側からのネジ６によって固定した正面円形のものとしてある。即ち本例の閉塞部材４は，上記径大環状部材３と同径の被嵌環状部４１と，該被嵌環状部４１の正面を閉塞する背面を垂直なフラット面とした正面閉塞部４３とを備え，その奥行幅を，本例にあって同じく径大環状部材３の上記環状部３１の奥行幅に合せて寸法設定したものとしてあり，該閉塞部材４は，これを径大環状部材３の環状部３１に被嵌することによって径大環状部材３の上記正面の開口を背面のフラットな面で閉塞するとともに奥行方向に一体的な外観を呈するようにしてある。このとき上記ネジ止めは，該被覆部材４の被嵌環状部４１のネジ用透孔から環状部３１の幅方向中間位置にタップ切りして配置した雌ネジにネジ６を螺入することによって，その外周複数箇所，例えば外周方向の１／４円毎の位置で合計４箇所行ったものとしてある。
【００３０】
図５及び図６は，他の例にかかる閉塞部材を用いてベントキャップＡを形成した例の正面図及び分解斜視図を示すもの（側面図及び設置状態縦断面図は上記例と同一に表れるため省略）で，本例にあっては，上記閉塞部材４を，その対向片間の間隔を上記径大環状部材３の外径と同一幅又はこれより広幅にして該径大環状部材３を受入れて該閉塞部材３側からのネジによって固定した正面方形又は矩形のものとした例であり，本例にあって該閉塞部材４は，上記径大環状部材３の環状部３１に上下左右の４箇所で内接する被嵌方形部４２と，該被嵌方形部４２の正面を閉塞する正面閉塞部４３とを備えた方形のものとしてある。即ち該被嵌方形部４２は，上記環状部３１の径をそれぞれ対向片間の間隔とするように寸法設定するとともにその奥行幅を，上記円形の閉塞部材４と同様に径大環状部材３の環状部３１の幅に合せたものとして，上記環状部３１に被嵌することによって径大環状部材３の上記正面の開口を閉塞して，その奥行方向に方形の外観を呈するように被覆したものとしてあり，このとき該閉塞部材４は，その被嵌方形部４２を上記環状部３１に被嵌し，その外周側から該環状部にネジ止めすることによってその径大環状部材３への固定を行ってある。該ネジ止めは，該閉塞部材４の被嵌方形部４２の長手方向中央位置にそれぞれ透設したネジ用透孔から，径大環状部材３の環状部３１の上記雌ネジにネジ６を螺入することによって，被嵌方形部４２と上記環状部３１の４箇所の対接部において行ったものとしてある。
【００３１】
このとき本例の該方形の閉塞部材４は，その対向片間の間隔を上記円形の閉塞部材４における内径と同一寸法，即ち径大環状部材３の外径を被嵌する寸法とする互換性を付与することによって，該方形の閉塞部材４と上記円形の閉塞部材４とを選択的に径大環状部材３に被嵌設置可能としてあり，従って上記円形の閉塞部材４とともに該方形の閉塞部材４を供給することによって，ベントキャップＡの複数の外観を，予め又は現場組立の場合を含めて選択することが可能となる。なお該閉塞部材４は，上記以外に楕円形，矩形等適宜形状のものとすることができ，その径大環状部材３への固定は，必要に応じて，上記環状基部１に対する径大環状部材３の連結固定と同様に連結部材を使用すれば，更に外観選択の範囲を拡大することができる。
【００３２】
このように形成した上記各ベントキャップＡは，正面側開口を閉塞部材４によって閉塞した径大環状部材３の内側に負圧の排気空間を形成し，該負圧の排気空間に上記環状基部１の先端部分を挿入配置する一方，該環状基部１の断面積を一定としたこと，上記閉塞部材４の背面を垂直なフラット面としたことによって，該径大環状部材３における負圧の排気空間を，その先端をフラット面とする断面積一定の円形空間とするとともにこれに先端部分を挿入配置した上記環状基部１が同じく断面積一定の円形をなすことによって該負圧の排気空間内に流入外気の抵抗をなす部分を解消したものとなり，これにより径大環状部材３の背面の一方から負圧の排気空間に流入した層流をなす外気を乱流化することなく，径大環状部材３の背面の他方から該層流のまま外部に排出する結果，該層流の排気吸引力と相俟って環状基部１から換気扇のファン圧によって送られる排気をスムーズ且つ確実に排出できるとともに排気の逆流や雨水の浸入の可能性を解消したものとすることができる。また本例において上記環状基部１への径大環状部材３の連結固定に使用した連結部材５は，上記可及的に細径として，該連結部材５が流入外気の抵抗となるのを可及的に抑制するとともにその配置を水平及び垂直各２本の合計４本としたことによって，横方向及び縦方向の外気流入に対する抵抗となるのを可及的に抑制し，例えば１２０度の角度に３本の連結部材を使用することによって横方向及び縦方向の外気流入に対して常に抵抗をなすものに比較して，流入外気の乱流化を可及的に防止することができる。
【００３３】
また閉塞部材４は，上記径大環状部材３の正面側開口を閉塞する限り，これがどのような形状であっても径大環状部材３の負圧の排気空間に対する風圧の影響を及ぼさないから，上記閉塞部材４は，その複数の外観形状のいずれを選択しても，排気性能を共通とすることができ，外観形状による影響を解消できる。
【００３４】
ベントキャップＡの建物壁面Ｂへの設置は，上記位置決めフィンを建物壁面Ｂに対接するようにして，その環状基部１を，上記キッチン，厨房等の換気扇から該建物壁面Ｂに配管した排気用のダクトＣに外側から挿入するように嵌合して上記抜止め金具１１によってダクトＣに固定するとともに必要に応じて上記位置決めフィン２を覆うようにこれと建物壁面Ｂとの間にコーキングによる防水措置を施すことによって，これを行うようにすればよい。
【００３５】
図示した例は以上のとおりとしたが，上記径大環状部材の配置を，上記連結部材の連結固定とともに又はこれに代えて，該径大環状部材の背面を環状基部の挿通孔配置のネット面とし，該挿通孔に挿通した環状基部を上記径大環状部材と金具固定して行ったものとして，環状基部の径大環状部材に対する挿通部位における固定によって可及的簡易且つ確実にして長期に亘る安定した配置のものとすること，上記閉塞部材は，これを固定したネジをドライバーで外すことによって容易に径大環状部材を正面側で開口できるから，上記ベントキャップを，防火ダンパーつきのものとしてその正面側，即ち外側からヒューズの交換を行うものとして構成すること，上記径大環状部材と閉塞部材とを溶着等の一体化手段によって一体化した正面閉塞にして背面を開口又は環状基部の挿通孔配置のネット面とした正面閉塞の径大環状部材を用いたものとして，部材数を減少しその組立を容易化するとともに上記ネジ止めのネジ露出のない単一外観の正面円形，正面方形又は正面矩形の形状のベントキャップとすること，上記径大環状部材と閉塞部材に代えて，プレス成形によって一体成形した正面閉塞にして背面を開口又は環状基部の挿通孔配置のネット面とした正面閉塞の径大環状部材を用いたものとして，同じく部材数を減少しその組立を容易化するとともに上記ネジ止めのネジ露出のない単一外観の円形形状のベントキャップとすること，上記ネット面を，メッシュ状のものとして防虫用のものとすること，位置決めフィンを複数に分割した適宜形状のものとすること等を含めて，本発明の実施に当って，ダクト，ベントキャップ，その環状基部，位置決めフィン，径大環状部材，ネット面，閉塞部材等の各具体的形状，構造，材質，これらの関係，これらに対する付加等は，上記発明の要旨に反しない限り様々な形態のものとすることができる。
【図面の簡単な説明】
【００３６】
【図１】ベントキャップの一部切欠正面図である。
【図２】ベントキャップの側面図である。
【図３】閉塞部材を外した状態のベントキャップの分解斜視図である。
【図４】ベントキャップの設置状態を示す縦断面図である。
【図５】他の例にかかるベントキャップの一部切欠正面図である。
【図６】図５のベントキャップの分解斜視図である。
【符号の説明】
【００３７】
Ａ  ベントキャップ
Ｂ  建物壁面
Ｃ  ダクト
１  環状基部
１１  抜止め金具
２  位置決めフィン
３  径大環状部材
３１  環状部
３２  ネット面
４  閉塞部材
４１  被嵌環状部
４２  被嵌方形部
４３  正面閉塞部
５  連結部材
６  ネジ
【図１】
2008095998.tif 000003
【図２】
2008095998.tif 000004
【図３】
2008095998.tif 000005
【図４】
2008095998.tif 000006
【図５】
2008095998.tif 000007
【図６】
2008095998.tif 000008